(57)【要約】【課題】放電灯の点灯を制御する点灯回路の電源線にノイズが入ることを簡単な構成で防止する。【解決手段】第一及び第二の回路収納部２２ａ，２２ｂと第一及び第二の配線収納部２３ａ，２３ｂとが仕切壁２１により隔てられて内部に形成された第一及び第二の収納ケース１９ａ，１９ｂを設け、第一の回路収納部２２ａと第二の配線収納部２３ｂとが連通するように第一及び第二の収納ケース１９ａ，１９ｂを接続し、第一の点灯回路１１を第一の回路収納部２２ａ内に配置し、第一の点灯回路１１の第一の出力線１５を第二の配線収納部２３ｂ内に配線し、第二の点灯回路１２を第二の回路収納部２２ｂ内に配置し、第二の点灯回路１２の第二の電源線１４を第一の配線収納部２３ａ内に配線する。これにより、ノイズが仕切壁２１により遮断される。【選択図】　　図３
2004022506.tif 000002
【特許請求の範囲】
【請求項１】
筒状に形成され、その中心線方向に沿って形成された仕切壁により内部が第一の回路収納部と第一の配線収納部とに仕切られた第一の収納ケースと；
筒状に形成され、その中心線方向に沿って形成された仕切壁により内部が第二の回路収納部と第二の配線収納部とに仕切られ、前記第二の回路収納部が前記第一の収納ケースの前記第一の配線収納部に連通され、前記第二の配線収納部が前記第一の収納ケースの前記第一の回路収納部に連通するように前記第一の収納ケースの一端側に接続された第二の収納ケースと；
電力が入力される第一の電源線と電力を出力する第一の出力線とを有して前記第一の回路収納部内に配置され、前記第一の出力線が前記第二の配線収納部内に配線され、前記第一の出力線に接続された第一の放電灯の点灯を制御する第一の点灯回路と；
電力が入力される第二の電源線と電力を出力する第二の出力線とを有して前記第二の回路収納部内に配置され、前記第二の電源線が前記第一の配線収納部内に配線され、前記第二の出力線に接続された第二の放電灯の点灯を制御する第二の点灯回路と；
を備える放電灯点灯装置。
【請求項２】
照明器具本体と；
前記照明器具本体に実装された請求項１記載の放電灯点灯装置と；
前記照明器具本体に実装され前記請求項１記載の放電灯点灯装置により点灯を制御される放電灯と；
を備える照明器具。
【発明の詳細な説明】
【０００１】
【発明の属する技術分野】本発明は、放電灯点灯装置及びこれを備えた照明器具に関する。
【０００２】
【従来の技術】従来、二個の放電灯を備えトンネル内に設置されてトンネル内を照明する照明器具がある。このような照明器具には、放電灯の点灯の制御を行なう放電灯点灯装置が設けられている。従来の放電灯点灯装置を図６に示す。
【０００３】
図６に示すように、放電灯点灯装置１００は、防水ケース１０１に本体１０２が収納されて構成されている。本体１０２には、二個の放電灯（図示せず）の点灯の制御を行なうための第一及び第二の点灯回路１０３，１０４が設けられている。これらの第一及び第二の点灯回路１０３，１０４には、電源から第一及び第二の点灯回路１０３，１０４に電力を入力するための電源線１０５，１０６と、放電灯に接続されてその放電灯に電力を出力する出力線１０７，１０８とが設けられている。第一の点灯回路１０３は、第二の点灯回路１０４よりも、電源から放電灯への電力の伝達経路において入力側に配置されている。
【０００４】
このように、本体１０２を防水ケース１０１内に収納することにより、トンネル内の湿気等の水分が第一及び第二の点灯回路１０３，１０４に入り込むことを防止している。
【０００５】
【発明が解決しようとする課題】しかしながら、このような放電灯点灯装置１００では、第二の点灯回路１０４の電源線１０６が第一の点灯回路１０３及びその出力線１０７の近傍に配線されており、何らの手段を講じないとすれば、これにより、第二の点灯回路１０４の電源線１０６に第一の点灯回路１０３及びその出力線１０７から発生する高周波ノイズが入ってしまう。電源線１０６にノイズが入ると第二の点灯回路１０４が行なう放電灯の制御に悪影響を及ぼしてしまう。そこで、放電灯点灯装置１００では、電源線１０６のノイズを低減させる雑音防止回路１０９を電源線１０６に設けている。このため、雑音防止回路１０９を設けることにより、放電灯点灯装置１００の大型化や複雑化という問題が生じている。
【０００６】
本発明の目的は、放電灯の点灯を制御する点灯回路の電源線にノイズが入ることを簡単な構成で防止することである。
【０００７】
【課題を解決するための手段】請求項１記載の発明の放電灯点灯装置は、筒状に形成され、その中心線方向に沿って形成された仕切壁により内部が第一の回路収納部と第一の配線収納部とに仕切られた第一の収納ケースと；筒状に形成され、その中心線方向に沿って形成された仕切壁により内部が第二の回路収納部と第二の配線収納部とに仕切られ、前記第二の回路収納部が前記第一の収納ケースの前記第一の配線収納部に連通され、前記第二の配線収納部が前記第一の収納ケースの前記第一の回路収納部に連通するように前記第一の収納ケースの一端側に接続された第二の収納ケースと；電力が入力される第一の電源線と電力を出力する第一の出力線とを有して前記第一の回路収納部内に配置され、前記第一の出力線が前記第二の配線収納部内に配線され、前記第一の出力線に接続された第一の放電灯の点灯を制御する第一の点灯回路と；電力が入力される第二の電源線と電力を出力する第二の出力線とを有して前記第二の回路収納部内に配置され、前記第二の電源線が前記第一の配線収納部内に配線され、前記第二の出力線に接続された第二の放電灯の点灯を制御する第二の点灯回路と；を備える。
【０００８】
したがって、第一の点灯回路と第二の点灯回路とが第一及び第二の収納ケースに仕切壁により隔たれた状態で収納されていることにより、第一の点灯回路及び第一の点灯回路の第一の出力線から発生する高周波ノイズが第二の点灯回路の第二の電源線に入ることを防止することが可能となる。
【０００９】
ここで、第一及び第二の収納ケースは、それぞれが押し出し成形等により一体成形されていてもよいし、複数部品を組み立てて形成されていてもよい。
【００１０】
また、第一及び第二の収納ケースの第一及び第二の回路収納部をそれらに配置される第一及び第二の点灯回路の大きさに合わせて形成し、第一及び第二の収納ケースの第一及び第二の配線収納部をそれらに配線される第二の電源線及び第一の出力線の大きさに合わせて形成して、第一及び第二の回路収納部の断面積を大きくし第一及び第二の配線収納部の断面積を小さくすることにより、第一及び第二の収納ケースの小型化を図ることができる。
【００１１】
請求項２記載の発明の照明器具は、照明器具本体と；前記照明器具本体に実装された請求項１記載の放電灯点灯装置と；前記照明器具本体に実装され前記請求項１記載の放電灯点灯装置により点灯を制御される放電灯と；を備える。
【００１２】
したがって、請求項１記載の発明と同様な作用を奏する照明器具を得ることが可能となる。
【００１３】
【発明の実施の形態】本発明の一実施の形態の照明器具を図１ないし図５に基づいて説明する。図１は本実施の形態の照明器具を示す水平断面図である。
【００１４】
照明器具１は、図１に示すように、第一及び第二の放電灯２，３、第一及び第二の放電灯２，３の点灯を制御する放電灯点灯装置４、これらの第一及び第二の放電灯２，３と、放電灯点灯装置４とを収納した照明器具本体５等から構成されている。照明器具本体５には、放電灯を保持しているソケット６〜９が設けられ、照明器具本体５における第一及び第二の放電灯２，３による照明方向の面には図示しない透光性カバーが設けられている。
【００１５】
図２は放電灯点灯装置４を示す斜視図、図３は放電灯点灯装置４を示す縦断側面図、図４は放電灯点灯装置４を示す分解斜視図、図５は放電灯点灯装置４を示す縦断正面図である。
【００１６】
放電灯点灯装置４は、図２ないし図４に示すように、防水性を有する防水ケース１０、この防水ケース１０の内部に収納された第一及び第二の点灯回路１１，１２等から構成されている。
【００１７】
第一及び第二の点灯回路１１，１２には、図示しない電源から電力が入力される第一及び第二の電源線１３，１４と、電力を外部に出力するための第一及び第二の出力線１５，１６（以後、第一及び第二の電源線１３，１４と第一及び第二の出力線１５，１６とを電線ということもある）とが設けられている。第一の点灯回路１１の第一の出力線１５は、ソケット６，７を介して第一の放電灯２に接続されており、第一の点灯回路１１は、第一の放電灯２の点灯を制御する。第二の点灯回路１２の第二の出力線１６は、ソケット８，９を介して第二の放電灯３に接続されており、第二の点灯回路１２は、第二の放電灯３の点灯を制御する。
【００１８】
防水ケース１０は、電源からの電力の伝達経路の入力側と出力側とに配置された第一及び第二のケース１７，１８により構成されている。第一のケース１７は、第一の収納ケース１９ａとこの第一の収納ケース１９ａの一方の端部に取り付けられた蓋２０ａ等から構成され、第二のケース１８は、第二の収納ケース１９ｂとこの第二の収納ケース１９ｂの一方の端部に取り付けられた蓋２０ｂ等から構成されている。第一及び第二の収納ケース１９ａ，１９ｂは、それぞれが押し出し成形により一体成形され、それらは同一形状に形成されている。
【００１９】
第一及び第二のケース１７，１８の第一及び第二の収納ケース１９ａ，１９ｂは、角形の筒状に形成されている。これらの第一及び第二の収納ケース１９ａ，１９ｂの内部は、その中心線方向に沿って形成された仕切壁２１により仕切られており、これにより、第一の収納ケース１９ａの内部には、第一の回路収納部２２ａと第一の配線収納部２３ａとが形成され、第二の収納ケース１９ｂの内部には、第二の回路収納部２２ｂと第二の配線収納部２３ｂとが形成されている。第一及び第二の回路収納部２２ａ，２２ｂは、第一又は第二の点灯回路１１，１２を収納し、第一及び第二の配線収納部２３ａ，２３ｂは電線を収納する。これらの第一及び第二の回路収納部２２ａ，２２ｂと第一及び第二の配線収納部２３ａ，２３ｂとの両端部には開口部が形成されている。蓋２０ａ，２０ｂは、この一方の開口部を覆うように第一及び第二の収納ケース１９ａ，１９ｂに取り付けられており、第一の収納ケース１９ａに取り付けられた蓋２０ａの第一の回路収納部２２ａと第一の配線収納部２３ａとに対向する部位には、電線が挿通される挿通孔２４が形成され、第二の収納ケース１９ｂに取り付けられた蓋２０ｂの第二の回路収納部２２ｂと第二の配線収納部２３ｂとに対向する部位には、電線が挿通される挿通孔２５が形成されている。
【００２０】
防水ケース１０は、第一の収納ケース１９ａの第一の回路収納部２２ａと第二の収納ケース１９ｂの第二の配線収納部２３ｂとが連通するように、第一及び第二の収納ケース１９ａ，１９ｂの蓋２０ａ，２０ｂが取り付けられていない方の一端同士が接続されている。これにより、第一の収納ケース１９ａの第一の配線収納部２３ａと第二の収納ケース１９ｂの第二の回路収納部２２ｂとが連通する。第一及び第二の収納ケース１９ａ，１９ｂの間には、ゴムパッキン２６が挿通されている。このゴムパッキン２６は、第一及び第二のケース１７，１８の一部を構成している。ここで、ゴムパッキン２６には、第一の収納ケース１９ａの第一の回路収納部２２ａと第二の収納ケース１９ｂの第二の配線収納部２３ｂとの対向部及び第一の収納ケース１９ａの第一の配線収納部２３ａと第二の収納ケース１９ｂの第二の回路収納部２２ｂとの対向部に電線が挿通される挿通孔２７が形成されている。
【００２１】
そして、防水ケース１０では、第一の点灯回路１１が第一の収納ケース１９ａの第一の回路収納部２２ａ内に配置されている。この第一の点灯回路１１の第一の電源線１３は、第一の収納ケース１９ａの第一の回路収納部２２ａから蓋２０ａの挿通孔２４に挿通されて、電源に到る。第一の点灯回路１１の第一の出力線１５は、第一の収納ケース１９ａの第一の回路収納部２２ａからゴムパッキン２６の挿通孔２７に挿通され、第二の収納ケース１９ｂの第二の配線収納部２３ｂ内に配線され、そこから蓋２０ｂの挿通孔２５に挿通され、ソケット６，７に到る。
【００２２】
一方、第二の点灯回路１２は、第二の収納ケース１９ｂの第二の回路収納部２２ｂ内に配置されている。この第二の点灯回路１２の第二の電源線１４は、第二の収納ケース１９ｂの第二の回路収納部２２ｂからゴムパッキン２６の挿通孔２７に挿通され、第一の収納ケース１９ａの第一の配線収納部２３ａに配線され、そこから蓋２０ａの挿通孔２４に挿通され、電源に到る。第二の点灯回路１２の第二の出力線１６は、第二の収納ケース１９ｂの第二の回路収納部２２ｂから蓋２０ｂの挿通孔２５に挿通されて、ソケット８，９に到る。
【００２３】
そして、この状態で、複数のボルト２８が、蓋２０ｂ、第二の収納ケース１９ｂ、ゴムパッキン２６、第一の収納ケース１９ａ、蓋２０ａに挿通されており、これらのボルト２８とナット２９との固定によりそれらが一体化されている。
【００２４】
このように第一及び第二の収納ケース１９ａ，１９ｂ内に配置された第一及び第二の点灯回路１１，１２は、図５に示すように、複数のネジ３０により第一及び第二の収納ケース１９ａ，１９ｂにネジ止めされている。第一及び第二の収納ケース１９ａ，１９ｂのネジ取付部には、溝３１が形成されている。この溝３１の深さは、ネジ３０の頭の高さよりも深く形成されており、ネジ３０の頭は、溝３１の内部に収まっている。この溝３１は、第一及び第二の収納ケース１９ａ，１９ｂの押し出し成形の際に形成されている。
【００２５】
このような防水ケース１０は、第二の収納ケース１９ｂの溝３１が形成されている面がある方を取付け面３２とされ、その取付け面３２を照明器具１の照明器具本体５の取付け面（図示せず）に突き当てて取り付けられている。
【００２６】
このような構成において、照明器具１では、第一及び第二の点灯回路１１，１２が電源から入力された電力を制御して第一及び第二の放電灯２，３へ出力することにより、放電灯の点灯の制御が行なわれ、放電灯が点灯する。このとき、第一及び第二の点灯回路１１，１２及びそれらの第一及び第二の出力線１５，１６から高周波ノイズが発生するが、防水ケース１０内部の第一及び第二の回路収納部２２ａ，２２ｂと第一及び第二の配線収納部２３ａ，２３ｂとが仕切壁２１により遮断されていることにより、この高周波ノイズが、仕切壁２１を超えて他の回路収納部２２ａ，２２ｂや配線収納部２３ａ，２３ｂに伝達することが防止される。
【００２７】
特に、本実施の形態のように第一及び第二の点灯回路１１，１２が電力の伝達経路の入力側と出力側に配置されている場合には、入力側の第一の点灯回路１１及びその第一の出力線１５から発生する高周波ノイズが、出力側の第二の点灯回路１２の第二の電源線１４に入ることによる第二の点灯回路１２における第二の放電灯３の点灯制御への悪影響が懸念されるが、本実施の形態では、上述したように、入力側の第一の点灯回路１１及びその第一の出力線１５から発生する高周波ノイズが、仕切壁２１を超えて、出力側の第二の点灯回路１２の第二の電源線１４に伝達されることが防止されるので、高周波ノイズによる第二の点灯回路１２への悪影響が防止される。
【００２８】
このように、本実施の形態では、仕切壁２１が形成された第一及び第二の収納ケース１９ａ，１９ｂにより、入力側の第一の点灯回路１１及びその第一の出力線１５から発生する高周波ノイズが、出力側の第二の点灯回路１２の第二の電源線１４に伝達されることが防止されるので、従来の放電灯点灯装置のように雑音防止回路を第二の点灯回路１２の第二の電源線１４に設ける必要がなく、従来の放電灯点灯装置に比べて放電灯点灯装置４の小型化及び簡素化を実現することができる。
【００２９】
また、防水ケース１０が、取付け面３２を照明器具１の照明器具本体５の取付け面に突き当てて取り付けられていることにより、放電灯点灯装置４から発生する熱が照明器具本体５に伝達され、放電灯点灯装置４の放熱が行なわれる。このとき、例えば、第一及び第二のケース１７，１８の第一及び第二の収納ケース１９ａ，１９ｂのネジ取付部に溝３１が形成されていない場合には、ネジ３０が照明器具１の取付け面に当たってしまい、防水ケース１０の取付け面３２を照明器具１の照明器具本体５の取付け面に突き当てることができず、放電灯点灯装置４の放熱の効率が悪くなるが、本実施の形態では、ネジ３０が溝３１に収まっていることにより、防水ケース１０の取付け面３２を照明器具１の照明器具本体５の取付け面に確実に突き当てることができ、これにより、放電灯点灯装置４の放熱を確実に行なうことができる。
【００３０】
【発明の効果】請求項１記載の発明の放電灯点灯装置によれば、筒状に形成され、その中心線方向に沿って形成された仕切壁により内部が第一の回路収納部と第一の配線収納部とに仕切られた第一の収納ケースと；筒状に形成され、その中心線方向に沿って形成された仕切壁により内部が第二の回路収納部と第二の配線収納部とに仕切られ、前記第二の回路収納部が前記第一の収納ケースの前記第一の配線収納部に連通され、前記第二の配線収納部が前記第一の収納ケースの前記第一の回路収納部に連通するように前記第一の収納ケースの一端側に接続された第二の収納ケースと；電力が入力される第一の電源線と電力を出力する第一の出力線とを有して前記第一の回路収納部内に配置され、前記第一の出力線が前記第二の配線収納部内に配線され、前記第一の出力線に接続された第一の放電灯の点灯を制御する第一の点灯回路と；電力が入力される第二の電源線と電力を出力する第二の出力線とを有して前記第二の回路収納部内に配置され、前記第二の電源線が前記第一の配線収納部内に配線され、前記第二の出力線に接続された第二の放電灯の点灯を制御する第二の点灯回路と；を備えることにより、第一の点灯回路及びその第一の出力線から発生する高周波ノイズが第二の点灯回路の第二の電源線に入ることを従来の放電灯点灯装置に比べ簡単な構成で防止することができる。
【００３１】
請求項２記載の発明の照明器具によれば、照明器具本体と；前記照明器具本体に実装された請求項１記載の放電灯点灯装置と；前記照明器具本体に実装され前記請求項１記載の放電灯点灯装置により点灯を制御される放電灯と；を備えることにより、請求項１記載の発明と同様な効果を奏する照明器具を得ることができる。
【図面の簡単な説明】
【図１】本発明の一実施の形態の照明器具を示す水平断面図である。
【図２】放電灯点灯装置を示す斜視図である。
【図３】放電灯点灯装置を示す縦断側面図である。
【図４】放電灯点灯装置を示す分解斜視図である。
【図５】放電灯点灯装置を示す縦断正面図である。
【図６】従来の放電灯点灯装置を示す分解平面図である。
【符号の説明】
１：照明器具、２：第一の放電灯、３：第二の放電灯、４：放電灯点灯装置、５：照明器具本体、１１：第一の点灯回路、１２：第二の点灯回路、１３：第一の電源線、１４：第二の電源線、１５：第一の出力線、１６：第二の出力線、１９ａ：第一の収納ケース、１９ｂ：第二の収納ケース、２１：仕切壁、２２ａ：第一の回路収納部、２２ｂ：第二の回路収納部、２３ａ：第一の配線収納部、２３ｂ：第二の配線収納部
【図１】
2004022506.tif 000003
【図２】
2004022506.tif 000004
【図３】
2004022506.tif 000005
【図４】
2004022506.tif 000006
【図５】
2004022506.tif 000007
【図６】
2004022506.tif 000008